(57)【特許請求の範囲】
【請求項１】
前面に開口部を有する外箱と、この外箱内に前記開口部から出入自在に嵌装される内箱とからなる収納ボックスであって、
前記外箱を、その底部の内面上に設けられて前後方向に伸びる外箱側摺動面と、この外箱側摺動面から上方に僅かに突出すべく前記開口部内側に設けた外箱側回転ローラーとを有したものとして構成するとともに、
前記内箱を、その底部の外面に設けられて前記外箱側回転ローラーを案内すべく前後方向に伸びるとともに、当該内箱の底部から下方に僅かに突出する内箱側摺動面と、前記外箱側摺動面に対応する位置であって当該内箱の後端部に設けられ、前記外箱側摺動面上にて案内される内箱側回転ローラーとを有したものとして構成したことを特徴とする収納ボックス。
【発明の詳細な説明】
【０００１】
【発明の属する技術分野】
本発明は、衣類等を簡便に収納するためのものであって、外箱に対して内箱をスライドさせて使用する収納ボックスに関するものである。
【０００２】
【従来の技術】
従来のこの種の収納ボックスは、前面に開口部を有する外箱と、この外箱内にその開口部から出入自在に嵌装される内箱とからなるものであり、衣類等を収納した内箱を外箱内にスライドさせて使用され、衣類等を簡便に収納するものとして重宝されている。このように、従来の収納ボックスは、比較的軽いものである衣類等を簡便に収納するためのものであるから、内箱を外箱内に単にスライドさせる形式のものであり、簡単な構造のものが多い。
【０００３】
【発明が解決しようとする課題】
本発明は、この種の収納ボックスにおける上述した実状に鑑みてなされたもので、その解決しようとする課題は、出入操作を安定して円滑に行うことができ、しかも安価に製造することのできる収納ボックスを、簡単な構造によって提供することである。
【０００４】
【課題を解決するための手段】
以上の課題を解決するために、本発明の採った手段は、後述する実施の形態中において使用する符号を付して説明すると、
「前面に開口部１１を有する外箱１０と、この外箱１０内に開口部１１から出入自在に嵌装される内箱２０とからなる収納ボックス１００であって、
外箱１０を、その底部１２の内面上に設けられて前後方向に伸びる外箱側摺動面１３と、この外箱側摺動面１３から上方に僅かに突出すべく開口部１１内側に設けた外箱側回転ローラー１４とを有したものとして構成するとともに、
内箱２０を、その底部２２の外面に設けられて外箱側回転ローラー１４を案内すべく前後方向に伸びるとともに、当該内箱２０の底部２２から下方に僅かに突出する内箱側摺動面２３と、外箱側摺動面１３に対応する位置であって当該内箱２０の後端部に設けられ、外箱側摺動面１３上にて案内される内箱側回転ローラー２４とを有したものとして構成したことを特徴とする収納ボックス１００」
である。
【０００５】
すなわち、本発明に係る収納ボックス１００は、外箱１０と、この外箱１０内にスライド収納される内箱２０とからなるという基本構成を有しているものであり、外箱１０の開口部１１の内側に内箱２０を受ける外箱側回転ローラー１４を設け、一方内箱２０の後端部に外箱１０の外箱側摺動面１３上にて案内される内箱側回転ローラー２４を設けたものである。そして、外箱側回転ローラー１４は、その上面にて内箱側摺動面２３をスライド自在に受け、内箱側回転ローラー２４は、外箱側摺動面１３上を転動することになるものである。
【０００６】
従って、この収納ボックス１００によれば、外箱側回転ローラー１４及び内箱側回転ローラー２４によって形成されるストローク間において、これらの外箱側回転ローラー１４及び内箱側回転ローラー２４の転動により、内箱２０の外箱１０に対するスライド操作が極めて軽く行えるのである。
【０００７】
また、内箱２０を外箱１０からスライドするときは、内箱２０の前部を取手２１を利用して若干上に持ち上げて、外箱側回転ローラー１４に対する内箱２０の内箱側摺動面２３の当接を解除し、この状態で内箱２０を手前に引き出せば、内箱２０の外箱１０に対する摩擦力が若干軽減されるため、内箱２０は、軽く引くだけで外箱１０内から容易に引き出すことができる。
【０００８】
これとは逆に、内箱２０を外箱１０内にスライドさせるときは、内箱２０は外箱側回転ローラー１４及び内箱側回転ローラー２４によって極めて軽く移動する。そして、内箱２０を完全に外箱１０内に押し込んだ状態では、外箱１０の底部１２の内端側に設けたローラー収納部１６内に内箱側回転ローラー２４が自然に収納されるため、内箱２０が外箱１０内に完全に嵌装されることになる。
【０００９】
【発明の実施の形態】
次に、本発明に係る収納ボックス１００を、図面に示した実施の形態について説明すると、図１〜図３には、内箱２０を外箱１０内に嵌装したときの収納ボックス１００が示してある。この収納ボックス１００は、前面に開口部１１を有する外箱１０と、この外箱１０内に開口部１１から出入自在に嵌装される内箱２０とからなるという基本構成を有しているものであり、これらの外箱１０及び内箱２０は合成樹脂によって一体成形したものである。
【００１０】
外箱１０は、前部にのみ開口部１１を形成した箱形状のものであり、図４〜図９に示すように、その底部１２の内面上に設けられて前後方向に伸びる外箱側摺動面１３と、この外箱側摺動面１３から上方に僅かに突出すべく開口部１１内側に設けた外箱側回転ローラー１４とを有したものである。
【００１１】
また、この外箱１０の上面には、図１及び図２に示したように、複数の山型突部１５が形成してあり、これらの山型突部１５によって外箱１０の上面の剛性を高くしている。しかも、これらの山型突部１５は、図７にも示したように、その一部が内側にも突出したものとしてあり、これによって、外箱１０から引き出されて上方に傾斜した内箱２０の後部上面の支持も行うようにしている。さらに、この外箱１０の奥に位置する底部１２上には、図４及び図６に示したように、内箱２０を外箱１０内に嵌装したとき、後述する内箱側回転ローラー２４がはまり込むローラー収納部１６が形成してある。
【００１２】
一方、内箱２０は、底部２２の外面に設けられて外箱側回転ローラー１４を案内すべく前後方向に伸びるとともに、当該内箱２０の底部２２から下方に僅かに突出する内箱側摺動面２３と、外箱側摺動面１３に対応する位置であって当該内箱２０の後端部に設けられ、外箱側摺動面１３上にて案内される内箱側回転ローラー２４とを有したものとして構成してある。勿論、この内箱２０は、人の手によって外箱１０から引き出されるものであるから、その前面に手が掛けられる取手２１が一体的に形成してある。
【００１３】
【発明の効果】
以上、詳述した通り、本発明においては、上記実施形態にて例示した如く、
「前面に開口部１１を有する外箱１０と、この外箱１０内に開口部１１から出入自在に嵌装される内箱２０とからなる収納ボックス１００であって、
外箱１０を、その底部１２の内面上に設けられて前後方向に伸びる外箱側摺動面１３と、この外箱側摺動面１３から上方に僅かに突出すべく開口部１１内側に設けた外箱側回転ローラー１４とを有したものとして構成するとともに、
内箱２０を、その底部２２の外面に設けられて外箱側回転ローラー１４を案内すべく前後方向に伸びるとともに、当該内箱２０の底部２２から下方に僅かに突出する内箱側摺動面２３と、外箱側摺動面１３に対応する位置であって当該内箱２０の後端部に設けられ、外箱側摺動面１３上にて案内される内箱側回転ローラー２４とを有したものとして構成したこと」
にその構成上の特徴があり、これにより、出入操作を安定して円滑に行うことができ、内箱の外箱に対する横揺れを有効に防止することができ、しかも安価に製造することのできる収納ボックス１００を、簡単な構造によって提供することができるのである。
【００１４】
すなわち、この収納ボックス１００によれば、外箱側回転ローラー１４を外箱１０の前部の開口部１１近傍に設けるとともに、内箱側摺動面２３を内箱２０の後方に設けたから、これらの両ローラーによって形成されるストローク間において内箱２０を支持している両ローラーによって、外箱１０に対する内箱２０の出入操作を極めて軽く行うことができる。
【００１５】
また、この収納ボックス１００によれば、外箱側回転ローラー１４は内箱側摺動面２３によって、また内箱側回転ローラー２４は外箱側摺動面１３によってそれぞれ案内されるから、内箱２０の外箱１０に対するスライド操作時において、内箱２０の円滑なスライド操作を行うことができる。
【図面の簡単な説明】
【図１】本発明に係る収納ボックスであって、内箱を外箱内に収納した時の状態を示すもので、（イ）はその正面図、（ロ）は背面図である。
【図２】同収納ボックスを示すもので、（イ）は平面図、（ロ）は底面図である。
【図３】同収納ボックスの左側面図である。
【図４】図１の１−１線に沿ってみた断面図である。
【図５】図４の２−２線部の部分拡大断面図である。
【図６】図４の３−３線に沿ってみた部分拡大断面図である。
【図７】内箱を外箱から引き出したときの断面図である。
【図８】図７の４−４線部の部分拡大断面図である。
【図９】図７の５−５線部の部分拡大断面図である。
【符号の説明】
１００  収納ボックス
１０  外箱
１１  開口部
１２  底部
１３  外箱側摺動面
１４  外箱側回転ローラー
１５  山型突部
１６  ローラー収納部
２０  内箱
２１  取手
２２  底部
２３  内箱側摺動面
２４  内箱側回転ローラー
【図１】
0003635307.tif 000002
【図２】
0003635307.tif 000003
【図３】
0003635307.tif 000004
【図４】
0003635307.tif 000005
【図５】
0003635307.tif 000006
【図６】
0003635307.tif 000007
【図７】
0003635307.tif 000008
【図８】
0003635307.tif 000009
【図９】
0003635307.tif 000010